(57)【要約】【課題】通気膜の配置に関してレイアウト上の制約を緩和する。【解決手段】外装通気部材Ａは、電線Ｗを挿通可能であり、外周面に開口する連通孔１１が形成されたコルゲートチューブ１０（管状部材）と、コルゲートチューブ１０の外周に外装される外装部２１と、外装部２１の外周に開口するように形成され、連通孔１１を介してコルゲートチューブ１０の内部と連通する取付部２６とを有する保持部材２０と、取付部２６に取り付けられた通気膜３４と、外装部２１をコルゲートチューブ１０に固定するためのタイバンド３８（固定部材）とを備えている。【選択図】図３
2018078739.tif 000002
【特許請求の範囲】
【請求項１】
電線を挿通可能であり、外周面に開口する連通孔が形成された管状部材と、
前記管状部材の外周に外装される外装部と、前記外装部の外周に開口して形成され、前記連通孔を介して前記管状部材の内部と連通する取付部とを有する保持部材と、
前記取付部に取り付けられた通気膜と、
前記外装部を前記管状部材に固定するための固定部材とを備えていることを特徴とする外装通気部材。
【請求項２】
前記外装部は、前記管状部材の周方向における少なくとも半周以上の領域に亘って外装される形態であることを特徴とする請求項１記載の外装通気部材。
【請求項３】
前記外装部が、弾性を有する材料からなり、前記管状部材の外周から離間するように弾性変形し得るようになっていることを特徴とする請求項１又は請求項２記載の外装通気部材。
【請求項４】
前記保持部材に形成され、前記取付部から内周側に突出して前記連通孔から前記管状部材内に収容される筒状の位置決め部を備えていることを特徴とする請求項１ないし請求項３のいずれか１項に記載の外装通気部材。
【請求項５】
前記位置決め部の外周に形成され、前記管状部材の内周における前記連通孔の孔縁部に係止する抜止め突起を備えていることを特徴とする請求項４記載の外装通気部材。
【発明の詳細な説明】
【技術分野】
【０００１】
本発明は、外装通気部材に関するものである。
【背景技術】
【０００２】
特許文献１には、高圧用ワイヤハーネスを密閉して挿通する外装材の端末に取り付けるゴムまたはエラストマーからなる筒形状の防水カバーが開示されている。この防水カバーの周壁には通気膜が取り付けられており、通気膜を通して、防水カバーの内外間で空気を流通させることができる。これにより、防水カバー内の圧力を調整し、防水カバーが急激な温度上昇によって過剰に膨張することが防止される。
【先行技術文献】
【特許文献】
【０００３】
【特許文献１】特開２０１３−２４１１４３号公報
【発明の概要】
【発明が解決しようとする課題】
【０００４】
上記の防水カバーはコネクタに取り付けられるものであるため、通気膜の位置はコネクタの近傍に限定される。そのため、通気膜の配置に関してレイアウト上の制約が大きいという問題がある。
【０００５】
本発明は上記のような事情に基づいて完成されたものであって、通気膜の配置に関してレイアウト上の制約を緩和することを目的とする。
【課題を解決するための手段】
【０００６】
本発明は、
電線を挿通可能であり、外周面に開口する連通孔が形成された管状部材と、
前記管状部材の外周に外装される外装部と、前記外装部の外周に開口して形成され、前記連通孔を介して前記管状部材の内部と連通する取付部とを有する保持部材と、
前記取付部に取り付けられた通気膜と、
前記外装部を前記管状部材に固定するための固定部材とを備えているところに特徴を有する。
【発明の効果】
【０００７】
この構成によれば、管状部材に形成する連通孔の位置を適宜変更することで、管状部材の軸線方向における通気膜の位置を任意に設定することができる。したがって、本願発明によれば、通気膜の配置に関してレイアウト上の制約を緩和することができる。
【図面の簡単な説明】
【０００８】
【図１】実施例１の外装通気部材の平面図
【図２】外装通気部材の側面図
【図３】図１のＸ−Ｘ線断面図
【図４】図１のＹ−Ｙ線断面図
【図５】コルゲートチューブ及び保持部材の形状を簡略化した外装通気部材の使用形態をあらわす側面図
【発明を実施するための形態】
【０００９】
本発明は、前記外装部は、前記管状部材の周方向における少なくとも半周以上の領域に亘って外装される形態であってもよい。この構成によれば、固定部材を固定する前の状態において、保持部材を管状部材に対して仮保持することができる。
【００１０】
本発明は、前記外装部が、弾性を有する材料からなり、前記管状部材の外周から離間するように弾性変形し得るようになっていてもよい。この構成によれば、外装部を拡開変形させることにより、保持部材を管状部材に対して径方向に接近させるように取り付けることができる。
【００１１】
本発明は、前記保持部材に形成され、前記取付部から内周側に突出して前記連通孔から前記管状部材内に収容される筒状の位置決め部を備えていてもよい。この構成によれば、固定部材で保持部材を管状部材に固定する前の状態において、位置決め部を連通孔に収容させることにより、取付部が連通孔と対応するように保持部材を位置決めすることができる。
【００１２】
本発明は、前記位置決め部の外周に形成され、前記管状部材の内周における前記連通孔の孔縁部に係止する抜止め突起を備えていてもよい。この構成によれば、固定部材で保持部材を管状部材に固定する前の状態において、抜止め突起を連通孔の孔縁部に係止させることにより、保持部材を管状部材に仮保持することができる。
【００１３】
＜実施例１＞
以下、本発明を具体化した実施例１を図１〜図５を参照して説明する。尚、以下の説明において、上下の方向については、図２〜４にあらわれる向きを、そのまま上方、下方と定義する。左右の方向については、図１〜３にあらわれる向きを、そのまま左方、右方と定義する。
【００１４】
本実施例の外装通気部材Ａは、合成樹脂製のコルゲートチューブ１０（請求項に記載の管状部材）と、エラストマー等のゴム弾性を有する保持部材２０と、通気膜ユニット３０と、保持部材２０をコルゲートチューブ１０に固定するための一対のタイバンド３８（請求項に記載の固定部材）とを備えて構成されている。
【００１５】
コルゲートチューブ１０は、断面形状が円形をなす管状をなし、その全長に亘って蛇腹状をなしている。したがって、コルゲートチューブ１０は、その軸線を湾曲させるような形態で弾性変形し得るようになっている。コルゲートチューブ１０の内部には、電気自動車やハイブリッド自動車の高圧用の電線Ｗが挿通されている。図５に示すように、電線Ｗの両端部には、例えばインバータ、バッテリ、モータ等に設けたコネクタＣａ，Ｃｂが接続されている。コルゲートチューブ１０の両端部には、夫々、エラストマーからなるゴム弾性を有するグロメットＧａ，Ｇｂの小径側端部が気密状に外装されている。各グロメットＧａ，Ｇｂの大径側端部はコネクタＣａ，Ｃｂに気密状に外装されている。これにより、一対のコネクタＣａ，Ｃｂの間には、コルゲートチューブ１０とグロメットＧａ，Ｇｂで包囲された密閉空間Ｓが構成され、この密閉空間Ｓ内に電線Ｗが収容されている。
【００１６】
コルゲートチューブ１０の外周には、コルゲートチューブ１０の外部と内部を連通させる連通孔１１が形成されている。コルゲートチューブ１０の軸線方向における連通孔１１の形成位置は、後述する通気膜３４を配置すべき位置と同じ位置に設定される。連通孔１１は、コルゲートチューブ１０の軸線方向における任意の位置に形成することができるとともに、コルゲートチューブ１０の周方向における任意の位置に形成することができる。コルゲートチューブ１０の外周には、複数の周方向の凹部１２と複数の周方向の凸部１３が、軸線方向に交互に配置する形態で形成されている。
【００１７】
保持部材２０は、外装部２１と取付部２６と位置決め部２８を有する単一部材である。外装部２１は、略半円弧形をなす前後一対の弧状板部２２からなり、コルゲートチューブ１０の外周をほぼ全周に亘って包囲する形態の略円筒形をなす。外装部２１には軸線方向に沿ったスリット２３が全長に亘って形成されており、一対の弧状板部２２は、スリット２３の開口幅を拡大させながらコルゲートチューブ１０の外周面から離間するような形態で弾性変形し得るようになっている。外装部２１の内周には、コルゲートチューブ１０の外周の凹部１２に嵌合されるリブ２４と、コルゲートチューブ１０の外周の凸部１３に嵌合される溝部２５とが形成されている。
【００１８】
取付部２６は、外装部２１の外周から径方向外方へ円筒状に突出した形態である。取付部２６は、外装部２１の軸線方向における中央部に配され、外装部２１の周方向においては一対の弧状板部２２の境界部に配されている。取付部２６の内周には、周方向に沿った複数の係止突起２７が、取付部２６の軸線方向に間隔を空けて形成されている。位置決め部２８は、外装部２１の内周から径方向内方へ円環状に突出した形態である。位置決め部２８は、取付部２６と同軸状に配されている。位置決め部２８の外径は、コルゲートチューブ１０の連通孔１１の内径と同じ寸法か、それよりも僅かに小さい寸法である。位置決め部２８の外周には、抜止め突起２９が形成されている。
【００１９】
通気膜ユニット３０は、保持部材２０よりも剛性の高い合成樹脂製の筒状部材３１と、通気膜３４とを一体化した単一部材である。筒状部材３１の外周には、周方向に沿った複数の係止溝３２が、筒状部材３１の軸線方向に間隔を空けて形成されている。筒状部材３１の先端部外周には、拡径部３３が形成されている。通気膜３４は、空気は通過させるが、液体は通過させない特性を有するものである。通気膜３４は、モールド成形等によってキャップ３５と一体化されている。キャップ３５は、シールリング３６を介して筒状部材３１の先端部に取り付けられ、筒状部材３１の先端部の開口部３７を気密状に閉塞している。
【００２０】
通気膜ユニット３０は、筒状部材３１を、その基端部側から取付部２６内に嵌入することによって保持部材２０に取り付けられている。通気膜ユニット３０を保持部材２０に取り付けると、筒状部材３１の外周の複数の係止溝３２と、取付部２６の内周の複数の係止突起２７とが密着状態で係止する。この係止により、通気膜ユニット３０が保持部材２０に取り付けた状態に保持されるとともに、取付部２６の内周と筒状部材３１の外周との隙間が気密状態に保持される。
【００２１】
通気膜ユニット３０を取り付けた保持部材２０は、コルゲートチューブ１０の外周のうち連通孔１１とその周囲の領域とを覆うように取り付けられる。取り付ける際には、一対の弧状板部２２を拡開するように弾性変形させてスリット２３を大きく拡げ、その拡げた弧状板部２２をコルゲートチューブ１０の外周に被せるようにする。このとき、位置決め部２８を連通孔１１内に差し込む。この差込みにより、保持部材２０がコルゲートチューブ１０に対し軸線方向及び周方向において位置決めされる。また、外装部２１の内周のリブ２４と溝部２５をコルゲートチューブ１０の外周の凹部１２と凸部１３に嵌合させることにより、保持部材２０がコルゲートチューブ１０に対して軸線方向に位置決めされる。
【００２２】
さらに、抜止め突起２９が、コルゲートチューブ１０の内周における連通孔１１の孔縁部に係止する。この係止により、保持部材２０がコルゲートチューブ１０から径方向に離脱することが規制される。また、保持部材２０をコルゲートチューブ１０に取り付けると、一対の弧状板部２２が略半円弧形に弾性復帰して外装部２１が略円筒形に戻る。この弧状板部２２の弾性復帰により、外装部２１が、コルゲートチューブ１０をほぼ全周に亘って密着するように包囲する。この外装部２１の包囲により、保持部材２０がコルゲートチューブ１０に対して径方向への離脱を規制された状態となる。
【００２３】
保持部材２０をコルゲートチューブ１０に取り付けた後、２本のタイバンド３８を外装部２１の外周に巻き付けて締め付ける。タイバンド３８は、一旦締め付けた後は緩めることのできない合成樹脂製の部材である。タイバンド３８を巻き付ける位置は、コルゲートチューブ１０の軸線方向に離間して取付部２６を挟む２位置である。タイバンド３８を締め付けることにより、コルゲートチューブ１０の外周のうち連通孔１１を包囲する領域に対し、外装部２１が気密状に密着する。これにより、コルゲートチューブ１０内の密閉空間Ｓとコルゲートチューブ１０の外部との間では、コネクタＣａ，Ｃｂの外周と外装部２１の内周との隙間及び連通孔１１を経路とする空気の流通が遮断されるとともに、保持部材２０がコルゲートチューブ１０から離脱することが確実に防止される。以上により、外装通気部材Ａの組付けが完了する。
【００２４】
密閉空間Ｓ内の空気圧が温度変化等によって急激に上昇すると、ゴム弾性を有するグロメットＧａ，Ｇｂが、膨張するように弾性変形して周囲の部材等に干渉することが懸念される。しかし、本実施例の外装通気部材Ａによれば、密閉空間Ｓ（コルゲートチューブ１０内）の空気が、連通孔１１と筒状部材３１と通気膜３４を通してコルゲートチューブ１０の外部へ流出するので、密閉空間Ｓ内の気圧は概ね大気圧と同じ圧力に保たれるので、グロメットＧａ，Ｇｂが過剰に膨張する虞はない。また、密閉空間Ｓ内の空気圧が低下した場合は、上記とは逆の経路を通って、コルゲートチューブ１０外の空気が密閉空間Ｓ内に流入するので、この場合も、密閉空間Ｓ内の気圧は概ね大気圧と同じ圧力に保たれる。
【００２５】
本実施例の外装通気部材Ａは、コルゲートチューブ１０と保持部材２０と通気膜３４とタイバンド３８とを備えて構成されている。コルゲートチューブ１０は、電線Ｗの挿通を可能とするものであり、コルゲートチューブ１０の外周面には連通孔１１が開口している。保持部材２０は、コルゲートチューブ１０の外周に外装される外装部２１と、外装部２１の外周に開口して形成された取付部２６とを有する。取付部２６は、連通孔１１を介してコルゲートチューブ１０の内部（密閉空間Ｓ）と連通しており、取付部２６には通気膜３４が取り付けられている。そして、タイバンド３８により外装部２１はコルゲートチューブ１０の外周に固定されている。
【００２６】
この構成によれば、コルゲートチューブ１０に形成する連通孔１１の軸線方向の位置、及び周方向の位置を適宜変更することで、コルゲートチューブ１０の軸線方向における通気膜３４の位置、及びコルゲートチューブ１０の周方向における通気膜３４の位置（向き）を任意に設定することができる。したがって、本実施例の外装通気部材Ａによれば、通気膜３４の配置に関してレイアウト上の制約を緩和することができる。
【００２７】
また、外装部２１は、コルゲートチューブ１０の周方向における少なくとも半周以上の領域（ほぼ全周）に亘って外装される形態である。したがって、タイバンド３８が外装部２１（保持部材２０）をコルゲートチューブ１０に固定する前の状態において、保持部材２０をコルゲートチューブ１０に対して仮保持することができる。
【００２８】
また、外装部２１は、弾性を有する材料（エラストマーやゴム等）からなり、コルゲートチューブ１０の外周から離間するように弾性変形し得るようになっている。これにより、外装部２１を拡開変形させることにより、保持部材２０をコルゲートチューブ１０に対して径方向に接近させるように取り付けることができる。したがって、外装部２１（保持部材２０）を、コルゲートチューブ１０の一方の端部に外装した後、軸線方向にスライドさせる場合に比べると、保持部材２０をコルゲートチューブ１０に取り付ける際の作業性がよい。
【００２９】
また、保持部材２０には、取付部２６から内周側に突出して連通孔１１からコルゲートチューブ１０内に収容される筒状の位置決め部２８が形成されている。この構成によれば、タイバンド３８で保持部材２０をコルゲートチューブ１０に固定する前の状態において、位置決め部２８を連通孔１１に内嵌させることにより、取付部２６が連通孔１１と対応するように保持部材２０を位置決めすることができる。さらに、位置決め部２８の外周には、コルゲートチューブ１０の内周における連通孔１１の孔縁部に係止する抜止め突起２９が形成されている。これにより、タイバンド３８で保持部材２０をコルゲートチューブ１０に固定する前の状態において、抜止め突起２９を連通孔１１の孔縁部に係止させることにより、保持部材２０をコルゲートチューブ１０に確実に仮保持することができる。
【００３０】
＜他の実施例＞
本発明は上記記述及び図面によって説明した実施例に限定されるものではなく、例えば次のような実施例も本発明の技術的範囲に含まれる。
（１）上記実施例では、外装部が、管状部材の外周から離間するように弾性的に拡開変形し得る形態であるが、外装部は、全周に亘って繋がっていて弾性的に拡開変形しない形態であってもよい。この場合、外装部の内周に位置決め部を形成せずに、保持部材を管状部材の端部から軸線方向にスライドさせて取り付ければよい。
（２）上記実施例では、外装部が、管状部材の周方向における少なくとも半周以上の領域に亘って外装される形態であるが、外装部は、管状部材の周方向における半周未満の領域のみに外装される形態であってもよい。
（３）上記実施例では、外装部が弾性を有する材料からなるが、外装部は、弾性変形し難い材料であってもよい。この場合、外装部の内周に位置決め部を形成せずに、保持部材を管状部材の端部から軸線方向にスライドさせて取り付けるか、若しくは、外装部の周方向における外装範囲が半周未満となるようにすればよい。
（４）上記実施例では、固定部材として、一旦締め付けた後は緩めることのできない合成樹脂製のタイバンドを用いたが、固定部材は、締め付けた後でも緩めることが可能な部材、接着剤、粘着テープ等であってもよい。
（５）上記実施例では、位置決め部に抜止め突起を形成したが、位置決め部は抜止め突起を有しない形態であってもよい。
（６）上記実施例では、保持部材に位置決め部を形成したが、保持部材は位置決め部を有しない形態であってもよい。
（７）上記実施例では、筒状部材を介して通気膜を保持部材に取り付けたが、通気膜は、インサート成形等によって保持部材に直接的に取り付けて一体化してもよい。
（８）上記実施例では、管状部材としてコルゲートチューブを用いたが、管状部材は、コルゲートチューブに限らず、シールドパイプ等であってもよい。
【符号の説明】
【００３１】
Ａ…外装通気部材
Ｗ…電線
１０…コルゲートチューブ（管状部材）
１１…連通孔
２０…保持部材
２１…外装部
２６…取付部
２８…位置決め部
２９…抜止め突起
３４…通気膜
３８…タイバンド（固定部材）
【図１】
2018078739.tif 000003
【図２】
2018078739.tif 000004
【図３】
2018078739.tif 000005
【図４】
2018078739.tif 000006
【図５】
2018078739.tif 000007